(57)【要約】【課題】  カラー情報を通信可能なファクシミリ装置において、カラー通信での差別化を図る。【解決手段】  前手順にて、色空間ｓＹＣＣでのＪＰＥＧ符号化情報の通信機能をネゴシエーションする手段を有し、色空間ｓＹＣＣのＪＰＥＧフルカラー通信を実行時、ＰＰＳ−ＥＯＭ信号を受信時も、通信を続行する。ここで、ＰＰＳーＥＯＭ信号を受信時においては、受信可能であれば、色空間ｓＹＣＣ受信機能有りのＤＩＳ信号を送信して、次ページの受信に移行し、受信不可能であれば、色空間ｓＹＣＣ受信機能無しのＤＩＳ信号を送信する。一方、色空間ｓＹＣＣのＪＰＥＧフルカラー通信を実行時、デジタルスチルカメラ情報の１ファイルの送信が、終了するたびに、ＰＰＳ−ＥＯＭ信号を送信する【選択図】  図１
2007043300.tif 000002
【特許請求の範囲】
【請求項１】
カラー情報を通信可能なファクシミリ装置において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、ＰＰＳ−ＥＯＭ信号を受信時も、通信を続行する事を特徴とするファクシミリ装置。
【請求項２】
請求項１に記載のファクシミリ装置において、ＰＰＳーＥＯＭ信号を受信時においては、受信可能かどうかのチェックを実行し、送信機に対して、受信可能であれば、色空間ｓＹＣＣ受信機能有りのＤＩＳ信号を送信して、次ページの受信に移行し、受信不可能であれば、色空間ｓＹＣＣ受信機能無しのＤＩＳ信号を送信する事を特徴とするファクシミリ装置。
【請求項３】
請求項１、又は請求項２に記載のファクシミリ装置において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、デジタルスチルカメラ情報の１ファイルの送信が、終了するたびに、ＰＰＳ−ＥＯＭ信号を送信する事を特徴とするファクシミリ装置。
【請求項４】
カラー情報を通信可能なファクシミリ通信方式において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、ＰＰＳ−ＥＯＭ信号を受信時も、通信を続行する事を特徴とするファクシミリ通信方式。
【請求項５】
請求項４に記載のファクシミリ通信方式において、ＰＰＳーＥＯＭ信号を受信時においては、受信可能かどうかのチェックを実行し、送信機に対して、受信可能であれば、色空間ｓＹＣＣ受信機能有りのＤＩＳ信号を送信して、次ページの受信に移行し、受信不可能であれば、色空間ｓＹＣＣ受信機能無しのＤＩＳ信号を送信する事を特徴とするファクシミリ通信方式。
【請求項６】
請求項４、又は請求項５に記載のファクシミリ通信方式において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、デジタルスチルカメラ情報の１ファイルの送信が、終了するたびに、ＰＰＳ−ＥＯＭ信号を送信する事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。例えば、特開平０６−１２５４７０号公報のカラーファクシミリ装置にて、色空間Ｌａｂでのカラーファクシミリ通信が記載されている。今までは、カラー原稿情報の送信を実行してきた。
【０００３】
最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルがＩＴＵ−Ｔにて、標準化された。例えば、特開２００３−３７７４１号公報の画像通信装置および画像通信方法にて、色空間ｓＹＣＣでのカラーファクシミリ通信が記載されている。ここで、デジタルスチルカメラで撮影した複数のファイル情報を送信時、モードチェンジの必要は無く、ファイル情報を送信後に使用する手順信号は、ＩＴＵ−Ｔ勧告にて、ＰＰＳ−ＮＵＬＬ信号、ＰＰＳ−ＭＰＳ信号、ＰＰＳ−ＥＯＰ信号に決定されている。
【特許文献１】特開平０６−１２５４７０号公報
【特許文献２】特開２００３−３７７４１号公報
【発明の開示】
【発明が解決しようとする課題】
【０００４】
しかしながら、色空間ｓＹＣＣのＪＰＥＧフルカラー送信を考えると、デジタルスチルカメラで撮影しコンパクトフラッシュ（登録商標）カードに格納されているファイル情報送信のケースが多い。すなわち、受信機側で、デジタルスチルカメラで撮影した情報を受信する場合、１ファイル当りの情報量が多く、例えば、２ファイルなら受信可能であるが、３ファイル目は受信できないケースがある。この場合、ＩＴＵ−Ｔ勧告通りに設計すると、このケースで送信機は、３ファイル目の送信へ移行後、受信機はエラー処理となり、３ファイル目の送信に移行してしまい、無駄な送信を実行してしまうという欠点があった。
【課題を解決するための手段】
【０００５】
第１の本発明によれば、カラー情報を通信可能なファクシミリ装置において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、ＰＰＳ−ＥＯＭ信号を受信時も、通信を続行する事が可能になった。第２の本発明によれば、第１の本発明のファクシミリ装置において、ＰＰＳーＥＯＭ信号を受信時においては、受信可能かどうかのチェックを実行し、送信機に対して、受信可能であれば、色空間ｓＹＣＣ受信機能有りのＤＩＳ信号を送信して、次ページの受信に移行し、受信不可能であれば、色空間ｓＹＣＣ受信機能無しのＤＩＳ信号を送信する事が可能になった。
【０００６】
これらにより、デジタルスチルカメラで撮影した複数のファイル情報を送信時、モードチェンジの必要は無く、ファイル情報を送信後に使用する手順信号は、ＩＴＵ−Ｔ勧告にて、ＰＰＳ−ＮＵＬＬ信号、ＰＰＳ−ＭＰＳ信号、ＰＰＳ−ＥＯＰ信号に決定されているが、色空間ｓＹＣＣのＪＰＥＧフルカラー送信が実行され、受信機側で、デジタルスチルカメラで撮影した情報を受信する場合、１ファイル当りの情報量が多く、例えば、２ファイルなら受信可能であるが、３ファイル目は受信できないケースがあるが、この場合、送信機から各ファイル情報の送信毎の手順信号で物理ページの区切りの時に、ＰＰＳーＥＯＭ信号を送信すると、受信機側から、適切に、継続して、デジタルスチルカメラ情報を受信できない旨を通知する事が可能になり、色空間ｓＹＣＣのＪＰＥＧフルカラー送信にて、ＰＰＳーＥＯＭ信号の受信をサポートする事は、とても、メリットがあり、ユーザにとっては、使い易くなった。
【０００７】
第３の本発明によれば、第１、２の本発明のファクシミリ装置において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、デジタルスチルカメラ情報の１ファイルの送信が、終了するたびに、ＰＰＳ−ＥＯＭ信号を送信する事が可能になった。
【０００８】
これにより、デジタルスチルカメラで撮影した複数のファイル情報を送信時、モードチェンジの必要は無く、ファイル情報を送信後に使用する手順信号は、ＩＴＵ−Ｔ勧告にて、ＰＰＳ−ＮＵＬＬ信号、ＰＰＳ−ＭＰＳ信号、ＰＰＳ−ＥＯＰ信号に決定されているが、色空間ｓＹＣＣのＪＰＥＧフルカラー送信が実行され、受信機側で、デジタルスチルカメラで撮影した情報を受信する場合、１ファイル当りの情報量が多く、例えば、２ファイルなら受信可能であるが、３ファイル目は受信できないケースがあるが、この場合、送信機から各ファイル情報の送信毎の手順信号で物理ページの区切りの時に、ＰＰＳーＥＯＭ信号を送信する事により、受信機側がＰＰＳ−ＥＯＭ信号をサポートしていれば、受信機側にて、受信可能メモリのオーバーフロー等、適切な制御が可能になり、ユーザは送信の継続性を正しく認識でき、とても、使い易くなった。
【発明の効果】
【０００９】
第１、第２の本発明によれば、デジタルスチルカメラで撮影した複数のファイル情報を送信時、モードチェンジの必要は無く、ファイル情報を送信後に使用する手順信号は、ＩＴＵ−Ｔ勧告にて、ＰＰＳ−ＮＵＬＬ信号、ＰＰＳ−ＭＰＳ信号、ＰＰＳ−ＥＯＰ信号に決定されているが、色空間ｓＹＣＣのＪＰＥＧフルカラー送信が実行され、受信機側で、デジタルスチルカメラで撮影した情報を受信する場合、１ファイル当りの情報量が多く、例えば、２ファイルなら受信可能であるが、３ファイル目は受信できないケースがあるが、この場合、送信機から各ファイル情報の送信毎の手順信号で物理ページの区切りの時に、ＰＰＳーＥＯＭ信号を送信すると、受信機側から、適切に、継続して、デジタルスチルカメラ情報を受信できない旨を通知する事が可能になり、色空間ｓＹＣＣのＪＰＥＧフルカラー送信にて、ＰＰＳーＥＯＭ信号の受信をサポートする事は、とても、メリットがあり、ユーザにとっては、使い易くなった。
【００１０】
第３の本発明によれば、デジタルスチルカメラで撮影した複数のファイル情報を送信時、モードチェンジの必要は無く、ファイル情報を送信後に使用する手順信号は、ＩＴＵ−Ｔ勧告にて、ＰＰＳ−ＮＵＬＬ信号、ＰＰＳ−ＭＰＳ信号、ＰＰＳ−ＥＯＰ信号に決定されているが、色空間ｓＹＣＣのＪＰＥＧフルカラー送信が実行され、受信機側で、デジタルスチルカメラで撮影した情報を受信する場合、１ファイル当りの情報量が多く、例えば、２ファイルなら受信可能であるが、３ファイル目は受信できないケースがあるが、この場合、送信機から各ファイル情報の送信毎の手順信号で物理ページの区切りの時に、ＰＰＳーＥＯＭ信号を送信する事により、受信機側がＰＰＳ−ＥＯＭ信号をサポートしていれば、受信機側にて、受信可能メモリのオーバーフロー等、適切な制御が可能になり、ユーザは送信の継続性を正しく認識でき、とても、使い易くなった。
【発明を実施するための最良の形態】
【００１１】
（実施例１）
以下、図面に示す実施の形態に基づいて、本発明を詳細に説明する。
【００１２】
図１には、本発明の実施の形態であるファクシミリ装置がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー読み取り可能な読取回路であり、読み取りデータをバス２６に出力する。
【００２０】
１６は、カラー記録可能な記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２２】
２０は、操作部であり、ワンタッチダイヤル、短縮ダイヤル、テンキー、＊キー、＃キー、スタートキー、ストップキー、セットキー、デジタルスチルカメラ情報の送信を選択するキー、その他のファンクションキーがあり、押下されたキー情報はバス２６に出力される。操作部には、表示部があり、バス２６に出力されている情報を入力し、表示する。
【００２３】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２４】
２６は、バスである。
【００２５】
２８は、カードインターフェイスであり、３０のカード（例えば、デジタルカメラで撮影した情報が記憶されているコンパクトフラッシュ（登録商標）カード）がセットされる。
【００２６】
図２には、本発明により、カラー関連のビット情報、さらに、新規にＩＴＵ−Ｔ勧告Ｔ．３０に追加する情報が図示されている。
【００２７】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００２８】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００２９】
ＤＩＳ／ＤＴＣ信号のＦＩＦの１２７ビットにより、色空間ｓＹＣＣでのＪＰＥＧ符号化受信機能の有無を通知し、ＤＣＳ信号のＦＩＦの１２７ビットにより、色空間ｓＹＣＣでのＪＰＥＧ符号化送信を指定をする。
【００３０】
２４は、カラー情報を通信可能なファクシミリ装置において、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、ＰＰＳ−ＥＯＭ信号を受信時も、通信を続行する。ここで、ＰＰＳーＥＯＭ信号を受信時においては、受信可能かどうかのチェックを実行し、送信機に対して、受信可能であれば、色空間ｓＹＣＣ受信機能有りのＤＩＳ信号を送信して、次ページの受信に移行し、受信不可能であれば、色空間ｓＹＣＣ受信機能無しのＤＩＳ信号を送信する。
【００３１】
一方、前手順にて、受信機から送信機に、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧフルカラー通信を実行時、デジタルスチルカメラ情報の１ファイルの送信が、終了するたびに、ＰＰＳ−ＥＯＭ信号を送信する。
【００３２】
以上の制御プログラムが格納されている。
【００３３】
図３、図４、図５、図６、図７、図８には、図１の制御の流れ図が図示されている。
【００３４】
図３において、S0は、始めを表している。
【００３５】
S２は、バス２６を介して、メモリ１８をイニシャライズする事を表している。ここで、カセット１、カセット２に対応し、記録紙の紙種は普通紙と記憶する。
【００３６】
S４は、バス２６を介して、操作部の表示部をクリアする事を表している。
【００３７】
S６では、バス２６を介してＮＣＵ２のCMLをオフする。
【００３８】
Ｓ８では、受信が選択されたか否かが判断されＹＥＳであるとＳ１４に進み、ＮＯであるとＳ１０に進む。
【００３９】
Ｓ１０では、操作部の情報を入力し、送信が選択されたか否かが判断され、ＹＥＳであるとＳ６８に進み、ＮＯであるとＳ１２に進み、その他の処理をする。
【００４０】
Ｓ１４では、バス２６を介してＮＣＵ２のCMLをオンする。
【００４１】
Ｓ１６では、操作部の情報を入力し、コンパクトフラッシュ（登録商標）カードがセットされているか否かが判断され、ＹＥＳであるとＳ１８に進み、ＮＯであるとＳ６６に進む。
【００４２】
Ｓ１８では、コンパクトフラッシュ（登録商標）カードの使用可能容量は、２Ｍｂｙｔｅ以上であるか否かが判断され、ＹＥＳであるとＳ２０に進み、ＮＯであるとＳ６６に進む。
【００４３】
Ｓ２０は前手順を表している。ここで、ＤＩＳ信号のＦＩＦの１２７ビット目は、１とする。
【００４４】
Ｓ２２では、ＤＣＳ信号のＦＩＦの１２７ビット目は１であるか否かが判断され、ＹＥＳであるとＳ２４に進み、ＮＯであるとＳ５６に進む。
【００４５】
Ｓ２４は、受信した色空間ｓＹＣＣのＪＰＥＧ符号化フルカラー情報をコンパクトフラッシュ（登録商標）カードに格納する事を表している。
【００４６】
Ｓ２６では、１ファイルの情報をコンパクトフラッシュ（登録商標）カードへの受信が終了したか否かが判断され、ＹＥＳであるとＳ３４に進み、ＮＯであるとＳ２８に進む。
【００４７】
Ｓ２８では、受信情報をコンパクトフラッシュ（登録商標）カードへの格納は可能であるか否かが判断され、ＹＥＳであるとＳ２４に進み、ＮＯであるとＳ３０に進む。例えば、コンパクトフラッシュ（登録商標）カードの使用可能メモリエリアが無くなると、受信情報をコンパクトフラッシュ（登録商標）カードへの格納ができなくなる。
【００４８】
Ｓ３０では、バス２６を介してＮＣＵ２のCMLをオフする。
【００４９】
Ｓ３２は、操作部の表示部に、「色空間ｓＹＣＣのデジタルスチルカメラ情報を受信中に、コンパクトフラッシュ（登録商標）カードが満杯になりました。」と表示する事を表している。この表示は何らかのキー操作で消す。
【００５０】
Ｓ３４は、中間手順を表している。
【００５１】
Ｓ３６では、ＰＰＳ−ＮＵＬＬ信号を受信したか否かが判断されＹＥＳであるとＳ２４に進み、ＮＯであるとＳ３８に進む。
【００５２】
Ｓ３８では、ＰＰＳ−ＭＰＳ信号を受信したか否かが判断されＹＥＳであるとＳ２４に進み、ＮＯであるとＳ４０に進む。
【００５３】
Ｓ４０では、ＰＰＳ−ＥＯＭ信号を受信したか否かが判断されＹＥＳであるとＳ４２に進み、ＮＯであるとＳ５０に進む。
【００５４】
Ｓ４２では、コンパクトフラッシュ（登録商標）カードの使用可能容量は、２Ｍｂｙｔｅ以上であるか否かが判断され、ＹＥＳであるとＳ４４に進み、ＮＯであるとＳ６０に進む。
【００５５】
Ｓ４４は、残りの中間手順を表している。ここで、ＤＩＳ信号のＦＩＦの１２７ビット目は、１とする。
【００５６】
Ｓ４６では、ＤＣＳ信号のＦＩＦの１２７ビット目は１であるか否かが判断され、ＹＥＳであるとＳ４８に進み、ＮＯであるとＳ５６に進む。
【００５７】
Ｓ４８は、ＣＦＲ信号の送信を表している。
【００５８】
Ｓ５０では、ＰＰＳ−ＥＯＰ信号を受信したか否かが判断されＹＥＳであるとＳ５４に進み、後手順を実行し、ＮＯであるとＳ５２に進み、エラー処理を実行する。
【００５９】
Ｓ５６は画信号の受信／記録を表している。
【００６０】
Ｓ５８は、後手順を表している。
【００６１】
Ｓ６０は残りの中間手順を表している。ここで、ＤＩＳ信号のＦＩＦの１２７ビット目は、０とする。
【００６２】
Ｓ６２では、ＤＣＳ信号のＦＩＦの１２７ビット目は１であるか否かが判断され、ＹＥＳであるとＳ６４に進み、ＮＯであるとＳ５６に進む。
【００６３】
Ｓ６４は、ＤＣＮ信号の送信を表している。
【００６４】
Ｓ６６は前手順を表している。ここで、ＤＩＳ信号のＦＩＦの１２７ビット目は、０とする。
【００６５】
Ｓ６８では、バス２６を介してＮＣＵ２のCMLをオンする。
【００６６】
Ｓ７０では、バス２６を介して、発呼回路を使用して指定された宛先へ発呼する事を表している。
【００６７】
Ｓ７２は、前手順を表している。
【００６８】
Ｓ７４では、デジタルスチルカメラで撮影した情報の送信が選択されたか否かが判断され、ＹＥＳであるとＳ８２に進み、ＮＯであるとＳ７６に進む。
【００６９】
Ｓ７６は残りの中間手順を表している。ここで、ＤＣＳ信号のＦＩＦの１２７ビット目は、０とする。
【００７０】
Ｓ７８は画信号の読み取り／送信を表している。
【００７１】
Ｓ８０は、後手順を表している。
【００７２】
Ｓ８２では、ＤＩＳ信号のＦＩＦの１２７ビット目は１であるか否かが判断され、ＹＥＳであるとＳ８６に進み、ＮＯであるとＳ８４に進む。
【００７３】
Ｓ８４では、操作部の表示部に、「デジタルスチルカメラ情報の送信はできません。」と表示する事を表している。ここで、この表示は何らかのキー操作で消去する。
【００７４】
Ｓ８６は、残りの前手順を実行する。ここで、ＤＣＳ信号のＦＩＦの１２７ビットを１にする。
【００７５】
Ｓ８８では、ＣＦＲ信号を受信したか否かが判断され、ＹＥＳであるとＳ９０に進み、ＮＯである（ＤＣＮ信号を受信する）とＳ９８に進む。ここで、ＦＴＴ信号の場合は、再度、ＤＣＳ信号を送る。
【００７６】
Ｓ９０は、デジタルスチルカメラで撮影した情報を、１ファイル分、色空間ｓＹＣＣのＪＰＥＧ符号化フルカラー情報で送信する事を表している。
【００７７】
Ｓ９２では、ファイルの途中であるか否かが判断され、ＹＥＳであるとＳ９４に進み、ＮＯであるとＳ１００に進む。
【００７８】
Ｓ９４は、ＰＰＳ−ＮＵＬＬ信号の送信を表している。
【００７９】
Ｓ９６では、ＭＣＦ信号を受信したか否かが判断され、ＹＥＳであるとＳ９０に進み、ＮＯである（ＤＣＮ信号を受信する）とＳ９８に進む。ここで、ＰＰＲ信号を受信すると、再度、エラーフレームの再送信をする。
【００８０】
Ｓ９８では、操作部の表示部に、「デジタルスチルカメラ情報の送信は、途中でエラーになりました。」と表示する事を表している。ここで、この表示は何らかのキー操作で消去する。
【００８１】
Ｓ１００では、次ファイル情報の送信はあるか否かが判断され、ＹＥＳであるとＳ１０６に進み、ＮＯであるとＳ１０２に進む。
【００８２】
Ｓ１０２は、ＰＰＳ−ＥＯＰ信号の送信を表している。
【００８３】
Ｓ１０４は、残りの後手順を表している。
【００８４】
Ｓ１０６は、ＰＰＳ−ＥＯＭ信号の送信を表している。
【００８５】
Ｓ１０８は、残りの中間手順を表している。
【００８６】
Ｓ１１０では、ＤＩＳ信号のＦＩＦの１２７ビット目は１であるか否かが判断され、ＹＥＳであるとＳ８６に進み、ＮＯであるとＳ９８に進む。
【図面の簡単な説明】
【００８７】
【図１】本発明によるファクシミリ装置の実施例のブロック図。
【図２】本発明によるＤＩＳ／ＤＴＣ、ＤＣＳ信号のＦＩＦ情報の具体例。
【図３】本発明による制御の流れ図。
【図４】本発明による制御の流れ図。
【図５】本発明による制御の流れ図。
【図６】本発明による制御の流れ図。
【図７】本発明による制御の流れ図。
【図８】本発明による制御の流れ図。
【符号の説明】
【００８８】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2007043300.tif 000003
【図２】
2007043300.tif 000004
【図３】
2007043300.tif 000005
【図４】
2007043300.tif 000006
【図５】
2007043300.tif 000007
【図６】
2007043300.tif 000008
【図７】
2007043300.tif 000009
【図８】
2007043300.tif 000010